(57)【特許請求の範囲】
【請求項１】
電子機器との接続を行う電子機器接続手段と、
前記電子機器接続手段を介して接続された前記電子機器がネットワークを介して他の装置と通信を行うための送受信処理を行う通信手段と、
操作に対応した、操作データを生成する操作手段と、
前記電子機器接続手段を介して接続された前記電子機器に前記操作データを供給する操作データ供給手段と
を具備し、
前記通信手段は、ネットワーク側から受信した通信制御データに対し所定の識別データを付加する通信制御データ識別データ付加手段を具備し、
前記操作手段は、通信制御データ識別データ付加手段によって付加される識別データとは異なった識別データを操作データに付加する操作データ識別データ付加手段を具備し、
前記操作データ供給手段は、前記操作手段によって生成され前記操作データ識別データ付加手段によって識別データが付加された操作データと、前記通信手段が制御チャネルを介してネットワーク側から受信し前記通信制御データ識別データ付加手段によって識別データが付加された通信制御用データとを多重化するデータ多重化手段を具備し、前記データ多重化手段によって多重化されたデータを前記電子機器接続手段を介して接続された前記電子機器に供給する
ことを特徴とする移動機。
【請求項２】
請求項１に記載の移動機において、
前記操作データ供給手段は、
１．前記操作データに従って前記通信手段の制御を行う電話モード
２．前記操作データを前記操作データ供給手段により前記電子機器に供給するデバイスモード
の何れかの動作モードを選択して動作することを特徴とする移動機。
【請求項３】
電子機器との接続を行う電子機器接続手段と、
前記電子機器接続手段を介して接続された前記電子機器がネットワークを介して他の装置と通信を行うための送受信処理を行う通信手段と、
操作に対応した、操作データを生成する操作手段と、
前記電子機器接続手段を介して接続された前記電子機器に前記操作データを供給する操作データ供給手段と
を具備し、
前記電子機器接続手段は、
前記通信手段に対応するＵＳＢポートと、
前記操作手段に対応したＵＳＢポートとを具備し、
前記操作データ供給手段は、
前記操作手段に対応するＵＳＢポートによって、前記操作データを前記電子機器に供給する
ことを特徴とする移動機。
【発明の詳細な説明】
【０００１】
【発明の属する技術分野】
この発明は、パーソナルコンピュータ等の電子機器に接続され、電子機器がネットワークを介して他の装置と通信を行うための処理を行う移動機に関する。
【０００２】
【従来の技術】
近年、いわゆるノート型ＰＣ（Personal Computer）やＰＤＡ（Personal Digital Assistant）等のモバイル型電子機器の小型・軽量・高機能化に伴い、これらモバイル型電子機器を携帯するユーザが急増している。また、携帯電話、ＰＨＳ等の移動機の普及に伴い、モバイル型電子機器を携帯するユーザは、様々な場所でデータ通信を行うことが可能となっている。
図９は、従来のデータ通信環境を示す図である。
図９に示すように、モバイル型電子機器１００１と移動機１０００を用いてデータ通信を行う場合、ＡＤＰ１００２を用いて移動機１０００とモバイル型電子機器１００１を接続して通信を行うこととなる。
【０００３】
【発明が解決しようとする課題】
ところで、最近のモバイル型電子機器においては、入力キーの小型化、テンキーの省略或いはマウスの簡略化等を行ったものが多い。この種のモバイル型電子機器は、携帯性は優れているが、その反面操作性が良くない。従ってユーザは、良好な操作性を望む場合、例えば、図９に示すように、テンキー１００４やマウス１００３といった、補助用の周辺デバイスを利用して、モバイル型電子機器の入力操作性を補う必要がある。
しかし、そのためにはユーザがこれらの補助用の周辺デバイスをモバイル型電子機器と共に持ち運ばなければならず、携帯性が悪くなると言う問題が生じる。
【０００４】
また、現在提供されているマウスやテンキーなどの補助用の周辺デバイスは、机上での使用が想定されおり、屋外での使用に対する考慮は払われていない。従って、これら補助用の周辺デバイスをモバイル型電子機器と共に携帯したとしても、屋外においてデータ通信を行うことは困難である。
【０００５】
この発明は、以上説明した事情に鑑みてなされたものであって、モバイル型電子機器の携帯性を維持しつつ、その操作性を補うことができる移動機を提供することを目的とした。
【０００６】
【課題を解決するための手段】
上述してきた問題を解決するために、この発明の請求項１に記載の移動機は、電子機器との接続を行う電子機器接続手段と、前記電子機器接続手段を介して接続された前記電子機器がネットワークを介して他の装置と通信を行うための送受信処理を行う通信手段と、  操作に対応した、操作データを生成する操作手段と、前記電子機器接続手段を介して接続された前記電子機器に前記操作データを供給する操作データ供給手段とを具備し、前記通信手段は、ネットワーク側から受信した通信制御データに対し所定の識別データを付加する通信制御データ識別データ付加手段を具備し、前記操作手段は、通信制御データ識別データ付加手段によって付加される識別データとは異なった識別データを操作データに付加する操作データ識別データ付加手段を具備し、前記操作データ供給手段は、前記操作手段によって生成され前記操作データ識別データ付加手段によって識別データが付加された操作データと、前記通信手段が制御チャネルを介してネットワーク側から受信し前記通信制御データ識別データ付加手段によって識別データが付加された通信制御用データとを多重化するデータ多重化手段を具備し、前記データ多重化手段によって多重化されたデータを前記電子機器接続手段を介して接続された前記電子機器に供給することを特徴とする。
【００１０】
請求項２に記載の移動機は、請求項１に記載の特徴に加えて、前記操作データ供給手段は、
１．前記操作データに従って前記通信手段の制御を行う電話モード
２．前記操作データを前記操作データ供給手段により前記電子機器に供給するデバイスモード
の何れかの動作モードを選択して動作することを特徴とする。
【００１１】
請求項３に記載の移動機は、電子機器との接続を行う電子機器接続手段と、前記電子機器接続手段を介して接続された前記電子機器がネットワークを介して他の装置と通信を行うための送受信処理を行う通信手段と、操作に対応した、操作データを生成する操作手段と、前記電子機器接続手段を介して接続された前記電子機器に前記操作データを供給する操作データ供給手段とを具備し、前記電子機器接続手段は、前記通信手段に対応するＵＳＢポートと、前記操作手段に対応したＵＳＢポートとを具備し、前記操作データ供給手段は、前記操作手段に対応するＵＳＢポートによって、前記操作データを前記電子機器に供給することを特徴とする。
【００１２】
【発明の実施の形態】
［１］第１実施形態
［１．１］第１実施形態の構成
図１は、本実施形態に係る移動機１の構成を示すブロック図である。
移動機１は、例えば、ＴＤＭＡ方式の携帯電話であり、外部機器との接続用ポートを有している。図１では、この接続用ポートにアダプタ２０が接続されている。このアダプタ２０は、いわゆる通信カードであり、ＰＣ（Personal Computer）１０のカードスロットルに収納されている。
【００１３】
図１において、移動機１は、データ変復調部２、通信制御部３、テンキー操作部４、マウス操作部５、ＣＰＵ６、データ多重／分離部７から構成されている。また、本発明の要旨とは無関係であるため、特に図１には図示していないが、移動機１内には音声データを入出力するためのスピーカ、マイク及び音声コーデック等が設けられている。
【００１４】
データ変復調部２は、無線区間を介してネットワーク側の移動通信交換局と情報の授受を行う。更に詳述すると、このデータ変復調部２では、ネットワーク側から制御チャネルＣＣＨを介して通信制御データを受信すると共に、情報チャネルＴＣＨを介してユーザデータを受信する。そしてデータ変復調部２は、ネットワーク側からの通信制御データを通信制御部３に送り、ユーザデータをアダプタ２０を介してＰＣ１０に送る。また、データ変復調部２は、通信制御部３から出力される通信制御データを制御チャネルＣＣＨを介してネットワーク側に送信すると共に、ＰＣ１０からアダプタ２０を介して受信されるユーザデータ、または図示しない音声コーデックから出力されるユーザデータ（通話データ）を情報チャネルＴＣＨを介してネットワーク側に送信する。
【００１５】
通信制御部３は、所定のプロトコルに従い、データ変復調部２を介してネットワーク側の移動通信交換局との間で通信制御データの授受を行い、呼接続等の通信制御を行う。また、通信制御部３は、ＰＣ１０やＡＤＰ２０からの通信制御データをデータ多重／分離部７を介して受け取り、データ変復調部２を介してネットワーク側に送ると共に、ネットワーク側から受信された通信制御データをデータ多重／分離部７を介してＡＤＰ２０やＰＣ１０に送る。
【００１６】
テンキー操作部４は、０〜９の数字及び＃、＊の１２個のキーを有しており、押下されたキーに対応したテンキー入力データを出力する。
マウス操作部５は、上下左右方向を示すキーを有しており、押下されたキーに対応するマウス入力データを出力する。
テンキー入力データ及びマウス入力データは、ＣＰＵ６に供給される。これらのデータは、特許請求の範囲における「操作データ」に相当するものである。
【００１７】
ＣＰＵ６は、移動機１内の各部を制御する制御手段である。また、ＣＰＵ６は、ＰＣ１０及びアダプタ２０の接続状況を監視し、接続状況に応じてテンキー操作部４から供給されるテンキー入力データ及びマウス操作部５から供給されるマウス入力データに対応した処理を行う。
これらの各入力データを取り扱う動作モードとしてＣＰＵ６は、以下の２種類の動作モードを有している。
１．テンキー操作部４及びマウス操作部５から送られるデータを通信制御にのみ使用する電話モード
２．ＰＣ１０がアダプタ２０を介して接続された状態において、テンキー操作部４及びマウス操作部５をＰＣ１０の周辺デバイスとして使用するデバイスモード
【００１８】
ここで、電話モードが設定されている場合、ＣＰＵ６は、テンキー操作部４やマウス操作部５の操作をユーザによるコマンド入力であるとみなし、そのコマンドに対応した制御を行う。すなわち、ＣＰＵ６は、テンキー入力データやマウス入力データからユーザによって入力されたコマンドを判別し、そのコマンドに対応した通信制御部３の制御等を行うのである。
また、デバイスモードが選択されている場合、ＣＰＵ６は、テンキー操作部４やマウス操作部５がＰＣ１０の周辺デバイスとして操作されたものとみなし、テンキー入力データやマウス入力データを取り扱う。この場合にＣＰＵ６は、テンキー入力データやマウス入力データをデータ多重／分離部７に供給する。
【００１９】
データ多重／分離部７は、通信制御部３から出力された通信制御データとＣＰＵ６から出力されたテンキー入力データ及びマウス入力データを多重化してＡＤＰ２０に送る。
また、データ多重／分離部７は、ＡＤＰ２０から送られてくる通信制御データを通信制御部３に送る。
【００２０】
アダプタ２０は、移動機１とＰＣ１０を接続する装置である。
このアダプタ２０は、インターフェイス部２１を有しており、このインターフェイス部２１によって、移動機１のデータ多重／分離部７から送られてきた通信制御データに対応したデータとデータ変復調部２から送られてきたユーザデータとを多重化してＰＣ１０に出力する。
また、インターフェイス部２１は、ＰＣ１０から移動機１宛に送られるデータを通信制御データとユーザデータに分離して、通信制御データをデータ多重／分離部７に出力し、ユーザデータをデータ変復調部２に出力する。
【００２１】
ＰＣ１０には、アダプタ２０に対応したデータ通信用ソフトウェアがインストールされている。ＰＣ１０は、このデータ通信用ソフトウェアに従い、アダプタ２０を介して移動機１の通信制御部３との間で通信制御データの授受を行い、所望の相手との呼接続、切断等の処理を行う。
また、ＰＣ１０には、テンキー入力データ及びマウス入力データを受け取ってユーザから与えられたコマンドを判定するドライバソフトウェアがインストールされている。
また、ＰＣ１０には、ネットワーク内のサーバ等から所望のデータを取得するためのアプリケーションプログラムであるブラウザがインストールされている。
【００２２】
［１．２］第１実施形態の動作
ＰＣ１０が接続されていない状態において本実施形態に係る移動機１の電源が投入されるとＣＰＵ６の動作モードは電話モードとなる。
図２は、ＣＰＵ６において電話モードが設定されている場合に移動機１内におけるデータの流れを示した図である。
図２に示すように、電話モードにおいて、ＣＰＵ６は、テンキー操作部４からのテンキー入力データやマウス操作部５からのマウス入力データに基づいて、ユーザによって入力された通信制御コマンドを判別し、当該通信制御コマンドを通信制御部３に送る。この結果、通信制御部３により、通信相手との呼接続のための処理などが行われる。
【００２３】
次に、移動機１にアダプタ２０を介してＰＣ１０が接続されると、ＰＣ１０の接続がなされたことがＣＰＵ６によって検出され、ＣＰＵ６の動作モードが電話モードからデバイスモードへと切り替わることとなる。
このようにして、ＣＰＵ６の動作モードがデバイスモードへと切り替わると、移動機１によるＰＣ１０の制御が可能となる。
【００２４】
図３は、このデバイスモードにおいて移動機１を用いてＰＣ１０に対する入力操作を行う場合に、移動機１とＰＣ１０の間において行われる処理を示すフローチャートである。
まず、ＣＰＵ６は、ユーザによってテンキー操作部４或いはマウス操作部５の操作が行われるのを待機する状態となる（ステップＳ１）。
テンキー操作部４或いはマウス操作部５が操作されると、テンキー入力データ或いはマウス入力データがＣＰＵ６宛に送られる。
【００２５】
次に、ＣＰＵ６は、テンキー操作部４或いはマウス操作部５から送られてきたテンキー入力データにヘッダＢをマウス操作部５から送られてきたマウス入力データにヘッダＣを付加した後、データ多重／分離部７に供給する（ステップＳ２）。
次に、ヘッダが付加されたテンキー入力データ及びマウス入力データは、データ多重／分離部７によってデータの多重が行われた後、アダプタ２０を介してＰＣ１０宛に送信される（ステップＳ３）。この際、データ多重／分離部７は、テンキー入力データ及びマウス入力データを制御チャネルＣＣＨに対応したデータとしてＰＣ１０宛に送る。
【００２６】
例えば、ユーザによってテンキー操作部４においてキー“４”が押下された場合、テンキー操作部４によってキー“４”に対応するテンキー入力データが生成された後、ＣＰＵ６に送られる。
ＣＰＵ６は、このキー“４”に対応するテンキー入力データに対しヘッダＢを付加してデータ多重／分離部７宛に送る（ステップＳ２）。
また、この間にユーザによってマウス操作部５において左矢印キーが押下された場合、マウス操作部５によって生成された左矢印キーに対応したマウス入力データは、ＣＰＵ６によってヘッダＣが付加されてデータ多重／分離部７宛に送られる（ステップＳ２）。
ＣＰＵ６からキー“４”に対応したテンキー入力データ及び左矢印キーに対応したマウス入力データが送られてくると、データ多重／分離部７は、ＣＰＵ６から送られてきたデータを時系列的に多重化して、ＰＣ１０宛に送る（ステップＳ３）。
【００２７】
このようにして、移動機１側からＰＣ１０宛に送られたテンキー入力データ及びマウス入力データがＰＣ１０によって検出されると、ＰＣ１０においては、インストールされたドライバソフトウェアに従って、ＰＣ１０の制御が実行されることとなる（ステップＳ４、Ｓ５）。
更に詳細に説明するならば、キー“４”に対応したテンキー入力データが移動機１から送られてきた場合、ＰＣ１０は、図示しないＰＣ１０のキーボード上でキー“４”の入力がなされた場合と同様にテンキー入力データを扱う。
この際、ＰＣ１０は、テンキー入力データ及びマウス入力データに付加されたヘッダによって、送られてきたデータがテンキー入力データであるのか、マウス入力データであるのかを区別して、各々のデータに分離する。
【００２８】
次に、ＰＣ１０は、実行した制御の実行レポートを作成し、移動機１宛に送信する（ステップＳ６、Ｓ７）。移動機１は、この実行レポートを受信すると、再度、テンキー操作部４或いはマウス操作部５に入力がなされるまで待機する（ステップＳ８）。
その後、ＰＣ１０との離脱がなされるまで移動機１のＣＰＵ６とＰＣ１０の間でステップＳ１〜Ｓ８の動作が繰り返される。
【００２９】
次に、ＰＣ１０側から移動機１に対してデータ通信の要求がなされると、移動機１からネットワーク側に対し発呼処理がなされることとなる。
図４は、発呼処理を行う際に移動機１の通信制御部３とＰＣ１０及びアダプタ２０との間のシーケンスを示す図である。
まず、ユーザがＰＣ１０を操作することによって、データ通信の要求を行うと、データ通信の開始要求が、ＰＣ１０から出力され、移動機１のデータ多重／分離部７を介して通信制御部３に送られる（ステップＳ１０１）。
次に、ＰＣ１０は、データ通信の対象となる相手先の電話番号を出力する。この電話番号は、データ多重／分離部７を介して通信制御部３へ送られる（ステップＳ１０２）。
【００３０】
移動機１の通信制御部３は、ＰＣ１０から通知された電話番号に対応したＳＥＴＵＰ（呼設定信号）を、データ変復調部２を介して、ネットワーク側に対し送信する（ステップＳ１０３）。
ネットワーク側では、移動機１側からＳＥＴＵＰを受けると、当該移動機１に対しＳＥＴＵＰに対する呼設定受付信号及びＡＬＥＲＴ（呼び出し信号）を送信する（ステップＳ１０４）。
通信制御部３は、ネットワーク側からＡＬＥＲＴを受信すると、通信中となったことを図示しない表示部に表示すべき旨の命令（通信中表示命令）をデータ多重／分離部７を介してＰＣ１０に送る（ステップＳ１０４、Ｓ１０５）。
この結果、ＰＣ１０側では、図示しない表示部上に通信中となった旨が表示されることとなる。
【００３１】
次に、アダプタ２０は、移動機１に対し通信サービス要求を行う（ステップＳ１０６）。移動機１の通信制御部３は、アダプタ２０からの通信サービス要求を受けると、要求するサービス等を特定するためのＩＮＦＯをネットワークに対して送出する（ステップＳ１０７）。ネットワーク側からＩＮＦＯに対する応答がなされると、移動機１とネットワーク側との間にデータ通信のためのコネクションが確立される（ステップＳ１０８）。
このようにして、通信コネクションが確立されると、移動機１側からアダプタ２０に対しコネクションの確立通知がなされることとなる（ステップＳ１０９）。
このようにして、ＰＣ１０によるデータ通信が可能となる。
【００３２】
次に、図５を参照し、以上説明した呼接続時及びデータ通信の実行中における、移動機１内のデータの流れについて説明する。
図５において、Ａ×××、Ｂ×××及びＣ×××は、ヘッダＡ、Ｂ及びＣが付加されたデータを示している。
図５に示すように、通信制御部３は、ネットワーク側から制御チャネルＣＣＨを介して受信した通信制御データに対しヘッダＡを付加してデータ多重／分離部７宛に送る。また、ＣＰＵ６は、テンキー操作部４から送られてきたテンキー入力データに対しヘッダＢを付加し、マウス操作部５から送られてきたマウス入力データに対しヘッダＣを付加してデータ多重／分離部７に供給する。
【００３３】
そして、データ多重／分離部７は、通信制御部３から送られてきたヘッダＡの付加された通信制御データとＣＰＵ６から送られてきたヘッダＢの付加されたテンキー入力データ及びヘッダＣの付加されたマウス入力データを多重化してＰＣ１０宛に送る。
そして、ＰＣ１０は、テンキー入力データ、マウス入力データ及び通信制御データに付加されたヘッダによって、送られてきたデータがテンキー入力データであるのか、マウス入力データであるのか或いは通信制御データであるのかを区別して、各々のデータに分離する。
一方、ＰＣ１０側からアダプタ２０を介して送られてきた通信制御データは、データ多重／分離部７を介して通信制御部３に送られる。
【００３４】
このようにして、本実施形態によれば、テンキー入力データ、マウス入力データ及び通信制御データの各々に別個のヘッダが付加され多重化されてＰＣ１０に供給されるため通信制御データの流れを阻害することなくテンキー入力データ及びマウス入力データをＰＣ１０に供給することができる。
【００３５】
なお、本実施形態において移動機１は、ＴＤＭＡ方式の携帯電話を例に説明を行っているが、ＰＨＳであっても構わない。
【００３６】
また、上記実施形態ではＰＣ１０への接続がなされた時点で自動的にＣＰＵ６をデバイスモードに切り替えたが、ユーザがテンキー操作部４或いはマウス操作部５を操作することによってデバイスモードへの切替を行う構成としても構わない。
【００３７】
［２］第２実施形態
図６は、本実施形態に係る移動機１の構成を示すブロック図である。
なお、図６において上述した図１の各部と対応する部分には同一の符号が付されている。従って特に示さない限り、これらデータ変復調部２、テンキー操作部４、マウス操作部５、アダプタ２０、インターフェイス部２１は、「第１実施形態」で示したものと同一の機能を有し、同一の動作をするものである。
【００３８】
以下、第１実施形態の構成と異なる点について説明することとする。
本実施形態において、ＰＣ１０は、アダプタ２０を接続するためのポートに加えて、後述する周辺機器インターフェイス８０のポートと通信を行うためのポートが設けられている。
この周辺機器インターフェイス８０と通信を行うためのポートには、対応したインターフェイスが設けられている。このインターフェイスには、例えば、ＩＥＥＥ１３９４インターフェイス等のシリアルインターフェイス、ＳＣＳＩ（Small computer system Interface）、セントロニクスインターフェイス等のパラレルインターフェイスがある。
また、ＰＣ１０には、周辺機器インターフェイス８０と通信を行うためのポートを介して供給されるテンキー入力データ、マウス入力データを受け取ってユーザから与えられたコマンドを判定するためのドライバソフトウェアがインストールされている。
【００３９】
また、本実施形態において移動機１は、周辺機器インターフェイス部８０を有している。
この周辺機器インターフェイス部８０には、ポートが設けられており、このポートを介して接続されたＰＣ１０に対してテンキー入力データ及びマウス入力データを供給することが可能である。
この周辺機器インターフェイス部８０のインターフェイスは、ＰＣ１０のインターフェイスと対応したインターフェイスである。
【００４０】
このように、本実施形態において移動機１には、キーボードインターフェイス部８０に対応したポート及びデータ通信用のポートの計２つのポートが設けられている。
このため、ＰＣ１０に設けられた専用のポートと移動機１の周辺機器インターフェイス８０に対応したポートとがケーブルを介して接続される。また、ＰＣ１０に設けられたアダプタ２０の接続用ポートには、アダプタ２０を介して移動機１が接続されることとなる。
【００４１】
次に、本実施形態の動作で第１実施形態と異なる点について説明する。
まず通信制御部３において行われるデータの変換方法であるが、本実施形態に係る移動機１おいては、通信制御部３によって通信制御データにヘッダＡが付加されることはない。
【００４２】
また、ＣＰＵ６は、電源投入時には電話モードに設定され、この場合には第１実施形態と同様の動作を行う。
その後、周辺機器インターフェイス部８０を介してＰＣ１０の接続が検出されるとＣＰＵ６の動作モードがデバイスモードへと切り替えられる。
このようにして、ＣＰＵ６がデバイスモードへと切り替えられると、ＣＰＵ６は、第１実施形態とは異なった動作を行うこととなる。
ＣＰＵ６は、デバイスモードに設定されている場合、ヘッダＢを付加したテンキー入力データ及びヘッダＣを付加したマウス入力データをキーボードインターフェイス部８０を介してＰＣ１０宛に送ることとなる。
つまり、ＰＣ１０と移動機１とを接続してデータ通信を行う場合には、テンキー入力データ及びマウス入力データは、ネットワーク側から送られてくるデータと物理的に異なった伝送路によって移動機１からＰＣ１０宛に送られるのである。
【００４３】
このようにして、本実施形態に係る移動機１は、テンキー入力データ及びマウス入力データを送るためにデータ通信用とは異なるデータ伝送路を設けている。このため、ネットワーク側から入手したデータとテンキー入力データ及びマウス入力データとの多重化を行わないので、移動機１内における処理を高速化することが可能となる。
【００４４】
［３］第３実施形態
［３．１］第３実施形態の構成
図７は、本実施形態に係る移動機１の構成を示すブロック図である。
なお、図７において上述した図１の各部と対応する部分には同一の符号が付されている。
本実施形態にかかる移動機１は、ＣＰＵ６０、通信部１００、ＵＳＢ送受信部１０１、ＵＳＢハブ１０２を有している。
ＣＰＵ６０は、ＵＳＢハブ１０２にＵＳＢケーブル１０３を介してＰＣ１０が接続されていない状態ではテンキー操作部４及びマウス操作部５における入力操作に従って通信制御部１００の制御を行う。
これに対し、ＵＳＢハブ１０２にＵＳＢケーブル１０３を介してＰＣ１０が接続された場合、ＣＰＵ６０は、テンキー操作部４の操作情報をＵＳＢインターフェイス１０１-１に送り、マウス操作部５の操作情報をＵＳＢインターフェイス１０１-２に送るのである。また、この場合ＣＰＵ６０は、通信部１００の制御を行わない。この状態において、テンキー操作部４、マウス操作部５及び通信部１００は、各々独立したＵＳＢデバイスとしてポート１〜３を介してＰＣ１０との通信を行う。
【００４５】
ＵＳＢハブ１０２は、ハブ・コントローラ及びハブ・リピータ（いずれも図示せず）から構成されている。
ハブ・リピータとは、ＰＣ１０とＵＳＢデバイス（テンキー操作部４、マウス操作部５、通信部１００）とのインターフェイスであり、本実施形態においては、１つのアップストリームポート（ルートポート）と３つのダウンストリームポート（図７中、ポート１〜３）を有している。ここで、アップストリームポートは、ＰＣ１０に対しＵＳＢケーブル１０３を介して接続されるポートであり、ダウンストリームポートとは、ＵＳＢデバイスに対し接続されるポートである。
また、ハブコントローラは、これら各ポートの状況（イネーブル、ディセーブル等）の管理を行う機能を有する。
【００４６】
ＵＳＢ送受信部１０１は、ＵＳＢハブ１０２の３個のダウンストリームポート（ポート１〜３）に対応したＵＳＢインターフェイス１０１-１〜１０１-３によって構成されている。
ＵＳＢインターフェイス１０１-１及び１０１-２は、各々ＥＰ（エンドポイント）０及びＥＰ１によって構成されており、ＵＳＢインターフェイス１０１-３は、ＥＰ０〜ＥＰ５によって構成されている。
ここで、ＥＰは、移動機１側のＵＳＢインターフェイス１０１-１〜１０１-３を構成する基本単位である。また、ＥＰは、それぞれ独立した識別番号（以下、ＥＰ番号という）を有しており、このＥＰ番号により各々が識別可能となっている。
【００４７】
各ＥＰの機能は、以下のようになっている。
ＥＰ０．コントロール転送用のＥＰであり、移動機１とＰＣ１０の接続がなされ通信可能になった時点で行われるセットアップに用いられる。このＥＰ０を用いて行われるセットアップについては後に詳細を述べる。
非ＥＰ０．すなわち、ＥＰ０以外のＥＰ１、ＥＰ２、ＥＰ３、ＥＰ４、ＥＰ５は、インタラプト転送、ＩＳＯ（アイソクロナス）転送、バルク転送に用いられる。
本実施形態においては、ＥＰ１は、アップストリーム方向（移動機１からＰＣ１０の方向）のインタラプト転送用のＥＰとなっており、ＥＰ２〜ＥＰ５は、バルク転送またはＩＳＯ転送に対応可能となっている。
このＥＰ２〜ＥＰ５のデータ転送タイプの切替は、セットアップ時に行われる代替設定あるいはインターフェイス設定要求（Ｓｅｔ  Ｉｎｔｅｒｆａｃｅコマンド）よって行われる。また、ＥＰ２〜ＥＰ５により行われるデータ転送のタイプおよびデータ量に関しては以下の代替設定を行うことができる。
代替設定０．バルク転送ＩＮ／ＯＵＴ動作モード（６４バイト）
代替設定１．ＩＳＯ転送ＩＮ／ＯＵＴ動作モード（８バイト）
代替設定２．ＩＳＯ転送ＩＮ／ＯＵＴ動作モード（１６バイト）
代替設定３．ＩＳＯ転送ＩＮ／ＯＵＴ動作モード（３２バイト）
代替設定４．ＩＳＯ転送ＩＮ／ＯＵＴ動作モード（６４バイト）
代替設定５．ＩＳＯ転送ＩＮ／ＯＵＴ動作モード（１２８バイト）
この代替設定によって、ＥＰ２〜ＥＰ５は、ＰＣ１０側からの通信要求に対し、各種の通信形態に対応可能となる。
また、ＵＳＢインターフェイス１０１-３においては、ＥＰ２及びＥＰ３が通信制御データの転送に使用され、ＥＰ４及びＥＰ５がユーザデータの転送に用いられる。
【００４８】
ＣＰＵ６０には、第１実施形態と同様に電話モード及びデバイスモードが設けられている、また、ＣＰＵ６０は、これらの動作モードに従って移動機１内の各部を制御する。より具体的には、電話モードが設定されている場合、ＣＰＵ６０は、テンキー操作部４或いはマウス操作部５における入力操作に従って通信部１００の制御を行う。
また、移動機１には、メモリ（図示せず）が設けられており、このメモリには以下のような情報が記憶されている。
１．テンキー操作部４、マウス操作部５及び通信部１００の機能一覧を含むビットマップテーブル
２．各ダウンストリームポートに対応したＵＳＢインターフェイス情報
３．ＵＳＢインターフェイス１０１-３の代替設定値
動作モードがデバイスモードに設定されている場合、ＣＰＵ６０は、メモリが有しているこれらの情報をＵＳＢ送受信部１０１、ＵＳＢハブ１０２およびＵＳＢケーブル１０３を介してＰＣ１０宛に通知する。
ＣＰＵ６０が行う処理については、「第３実施形態の動作」において詳細を説明する。
【００４９】
通信部１００は、データ変復調部２及び通信制御部３から構成されており、移動機１を用いてデータ通信を行う際、ネットワーク側とのデータの授受を行う機能を有する。
【００５０】
ＰＣ１０は、ＵＳＢハブ１０２とＵＳＢケーブル１０３を介して通信を行うためのポートを有している。また、ＰＣ１０は、ＵＳＢケーブル１０３を介して供給されるテンキー入力データ、マウス入力データを受け取ってユーザから与えられたコマンドを判定するためのドライバソフトウェアがインストールされている。
【００５１】
［３．２］第３実施形態の動作
まず、ＰＣ１０が接続されていない状態において本実施形態に係る移動機１の電源が投入されるとＣＰＵ６０の動作モードは電話モードとなる。
この場合、移動機１は、「第１実施形態」の移動機１と同様の動作を行う。すなわち、電話モードが設定されている場合、図２に示すようにＣＰＵ６０は、テンキー操作部４からのテンキー入力データやマウス操作部５からのマウス入力データに基づいて、ユーザによって入力された通信制御コマンドを判別し、当該通信制御のコマンドを通信制御部３に送る。この結果、通信制御部３により、通信相手との呼接続のための処理などが行われる。
【００５２】
次に、移動機１がＵＳＢケーブル１０３によりＰＣ１０に接続されると、ＰＣ１０は、図８に示す手順に従い、移動機１との間でディスクリプタの授受を行い、移動機１の各部に一意のアドレス（以下、デバイスアドレスという）の割り当て等を行う。
まず、ＰＣ１０は、ＵＳＢハブ１０２に対してリセット信号を１回だけ送信する（ステップＳ２００）。このリセット信号を受けるとＵＳＢハブ１０２は、ポート１〜３の全てをディセーブルステートへと移行させる。
【００５３】
このようにして、ポート１〜３が全てディセーブルステートへと移行すると、ＰＣ１０は、ＵＳＢハブ１０２とディスクリプタの授受を行うこととなる（ステップＳ２０００-１）。
まず、ＰＣ１０は、セットアップステージにおいて、ＵＳＢハブ１０２に対しＧｅｔ  Ｄｅｓｃｒｉｐｔｏｒコマンドを送信する（ステップＳ２０１）。ここで、Ｇｅｔ  Ｄｅｓｃｒｉｐｔｏｒコマンドは、ディスクリプタの要求コマンドである。
ＵＳＢハブ１０２のハブコントローラは、このＧｅｔ  Ｄｅｓｃｒｉｐｔｏｒコマンドに対し、ＵＳＢハブ１０２に対応するハブクラスのデバイスディスクリプタをＰＣ１０宛に送信する（ステップＳ２０２）。
ここで、ハブクラスのデバイスディスクリプタは、移動機１のＵＳＢハブ１０２に関する一般情報であり、ＵＳＢハブ１０２が有するＥＰ０の最大パケットサイズ等の情報が含まれている。
【００５４】
次に、ＰＣ１０は、ステータスステージにおいてＵＳＢハブ１０２に対し長さ０のデータパケットを送信することにより、正常にディスクリプタが受信されたことを通知する（ステップＳ２０３）。また、ＰＣ１０は、移動機１側から送られてきたデバイスディスクリプタに従って、ＵＳＢハブ１０２が有しているＥＰ０の最大パケットサイズ等を把握する。
次に、ＰＣ１０は、ＵＳＢハブ１０２に対しデバイスアドレスを割り当て、移動機１のＵＳＢハブ１０２に対してＳｅｔ  Ａｄｄｒｅｓｓコマンドを送信し、デバイスアドレスの通知を行う（ステップＳ２０４）。
【００５５】
一方、移動機１側では、ＵＳＢハブ１０２のハブコントローラがＰＣ１０から通知されたＳｅｔ  Ａｄｄｒｅｓｓコマンドに従って、ＵＳＢハブ１０２のデバイスアドレスを設定する。
【００５６】
このようにして、デバイスアドレスの設定が完了すると、ＰＣ１０は、再度、ＵＳＢハブ１０２のＥＰ０に対し、セットアップステージにおいてＧｅｔ  Ｄｅｓｃｒｉｐｔｏｒコマンドを送信する（ステップＳ２０５）。
ＵＳＢハブ１０２のハブコントローラは、Ｇｅｔ  Ｄｅｓｃｒｉｐｔｏｒコマンドに対し、ＵＳＢハブ１０２に対応したハブクラスの構成ディスクリプタをＰＣ１０宛に送信する（ステップＳ２０６）。
ここで、ＵＳＢハブ１０２のハブコントローラから送出されるハブクラスの構成ディスクリプタには、ＵＳＢハブ１０２が有しているポート数等の情報が含まれている。
【００５７】
次に、ＰＣ１０は、ステータスステージにおいてＵＳＢハブ１０２に対し長さ０のデータパケットを送信することにより、正常にディスクリプタが受信されたことを通知する（ステップＳ２０７）。また、ＰＣ１０側では、移動機１側から通知されたハブクラスの構成ディスクリプタに従って、ＵＳＢハブ１０２が３つのダウンストリームポートを有していることを把握する。より具体的には、このハブクラスの構成ディスクリプタをＵＳＢハブ１０２から受信することにより、ＰＣ１０は、ＵＳＢハブ１０２を介して３つのデバイスが接続されているものと認識するのである。
【００５８】
次に、ＰＣ１０は、セットアップステージにおいて、ＵＳＢハブ１０２に対してＳｅｔ  Ｃｏｎｆｉｇｕｒａｔｉｏｎコマンドを送信する（ステップＳ２０８）。
【００５９】
このようにして、ＵＳＢハブ１０２のデバイスアドレス等が決定すると、ＰＣ１０は、ＵＳＢハブ１０２に対してポート１に対応するリセット信号を送信する（ステップＳ２１０）。このリセット信号を受信すると、ＵＳＢハブ１０２は、ＵＳＢインターフェイス１０１-１を介してＣＰＵ６０に所定の電流を所定の時間だけ供給した後、この電流供給を停止して、ポート１をイネーブルステートへと移行させる（ステップＳ２１１）。
また、ポート１がイネーブルステートへと移行すると、ＰＣ１０とＵＳＢインターフェイス１０１-１に設けられたＥＰ０との間にデフォルトパイプが形成され、このデフォルトパイプを介してＰＣ１０からＣＰＵ６０宛のコントロール転送が可能となる。
【００６０】
一方、ＣＰＵ６０は、ＵＳＢハブ１０２から電流供給を受けることによって、ＰＣ１０が接続されたことを検出し、動作モードをデバイスモードへと切り替える。ＣＰＵ６０は、デバイスモードへの切り替えがなされた後は、ポート１を介してＰＣ１０側から送られてきたＧｅｔＤｅｓｃｒｉｐｔｏｒコマンドに対してはテンキー操作部４に対応したディスクリプタを送信するのである。ここで、テンキー操作部４に対応したディスクリプタには、テンキー操作部４に関する情報以外にも、ＵＳＢインターフェイス１０１-１に関する情報も含まれている。
【００６１】
次に、ＰＣ１０は、ＣＰＵ６０との間でテンキー操作部４に対応したディスクリプタの授受を行い、デバイスアドレス等の設定を行うこととなる（ステップＳ２０００-２）。
【００６２】
まず、ＰＣ１０は、ＵＳＢハブ１０２を介して、ＵＳＢインターフェイス１０１-１のＥＰ０に対しＧｅｔ  Ｄｅｓｃｒｉｐｔｏｒコマンドを送信し、このＧｅｔ  ＤｅｓｃｒｉｐｔｏｒコマンドがＣＰＵ６０によって読み込まれる（ステップＳ２０１）。
ＣＰＵ６０は、Ｇｅｔ  Ｄｅｓｃｒｉｐｔｏｒコマンドに対し、テンキー操作部４に対応するデバイスディスクリプタをＵＳＢインターフェイス１０１-１を介してＰＣ１０宛に送信する（ステップＳ２０２）。
ここで、テンキー操作部４に対応したデバイスディスクリプタには、ＵＳＢインターフェイス１０１-１におけるＥＰ０の最大パケットサイズ及びテンキー操作部４のデバイスプロトコルコード等の情報が含まれている。
【００６３】
一方、ＰＣ１０は、ステータスステージにおいてＣＰＵ６０に対し長さ０のデータパケットを送信することにより、正常にディスクリプタが受信されたことを通知する（ステップＳ２０３）。また、ＰＣ１０は、移動機１側から送られてきたデバイスディスクリプタに従って、ＵＳＢインターフェイス１０１-１が有しているＥＰ０の最大パケットサイズ及びテンキー操作部４のプロトコルコード等を把握する。
次に、ＰＣ１０は、ポート１を介してテンキーが接続された場合と同様に、テンキー操作部４に対しデバイスアドレスを付与する。
【００６４】
ＰＣ１０は、テンキー操作部４のデバイスアドレスの割り当てが完了すると、移動機１に対し、Ｓｅｔ  Ａｄｄｒｅｓｓコマンドを送信し、デバイスアドレスを通知する（ステップＳ２０４）。
一方、移動機１側では、ＣＰＵ６０がＰＣ１０から通知されたＳｅｔ  Ａｄｄｒｅｓｓコマンドに従って、テンキー操作部４に対しデバイスアドレスを設定する。
【００６５】
このようにして、デバイスアドレスの設定が完了すると、ＰＣ１０は、再度、ＵＳＢハブ１０２を介してＵＳＢインターフェイス１０１-１のＥＰ０に対し、セットアップステージにおいてＧｅｔ  Ｄｅｓｃｒｉｐｔｏｒコマンドを送信する（ステップＳ２０５）。そして、このＵＳＢインターフェイス１０１-１に対して送信されたＧｅｔ  ＤｅｓｃｒｉｐｔｏｒコマンドがＣＰＵ６０によって読み込まれる。
【００６６】
ＣＰＵ６０は、Ｇｅｔ  Ｄｅｓｃｒｉｐｔｏｒコマンドに対し、テンキー操作部４に対応する構成ディスクリプタをＵＳＢインターフェイス１０１-１を介してＰＣ１０宛に送信する（ステップＳ２０６）。
ここで、ＣＰＵ６０から送出される構成ディスクリプタには、メモリ（図示せず）上に記憶された情報のうち、以下の情報が含まれる。
１．テンキー操作部４の機能一覧を含むビットマップテーブル
ＰＣ１０は、これを受け取ることによりテンキー操作部４の機能構成を把握することが可能となる。
２．ＥＰ数、ＥＰ番号等の、ＵＳＢインターフェイス１０１-１に対応するＵＳＢインターフェイス情報
【００６７】
次に、ＰＣ１０は、ステータスステージにおいてＣＰＵ６０に対し長さ０のデータパケットを送信することにより、正常にディスクリプタが受信されたことを通知する（ステップＳ２０７）。また、ＰＣ１０側では、移動機１側から通知されたテンキー操作部４に対応する構成ディスクリプタに基づいて、ＵＳＢデバイスを構成する。より具体的に言うならば、ＰＣ１０は、テンキー操作部４に対応するように、ＵＳＢインターフェイス１０１-１に設けられたＥＰ１のデータペイロードサイズ等を決定するのである。
【００６８】
次に、ＰＣ１０は、コントロール転送のセットアップステージにおいて、ＵＳＢハブ１０２及びＵＳＢインターフェイス１０１-１のＥＰ０を介して、ＣＰＵ６０に対してＳｅｔ  Ｃｏｎｆｉｇｕｒａｔｉｏｎコマンドを送信する（ステップＳ２０８）。そして、移動機１のＣＰＵ６０は、Ｓｅｔ  Ｃｏｎｆｉｇｕｒａｔｉｏｎコマンドに従ってＵＳＢインターフェイス１０１-１のインターフェイス設定を行う。
【００６９】
このようにして、移動機１のテンキー操作部４についてのデバイスアドレスの決定等がなされると、ＰＣ１０は、ＵＳＢハブ１０２に対しポート２に対するリセット信号を送信し、ポート２をイネーブルステートへと移行させる（ステップＳ２２０、Ｓ２２１）。ポート２がイネーブルステートへと移行すると、ＣＰＵ６０は、ＰＣ１０からポート２を介して送信されてくるＧｅｔ  Ｄｅｓｃｒｉｐｔｏｒコマンドに対しては、マウス操作部５に対応するディスクリプタを送信する。ここで、マウス操作部５に対応したディスクリプタには、マウス操作部５に関する情報だけではなくＵＳＢインターフェイス１０１-２に関する情報も含まれている。
その後、ＰＣ１０とＣＰＵ６０の間でステップＳ２０００-２と同様の処理が行われ、マウス操作部５についてのデバイスアドレス、ＵＳＢインターフェイス１０１-２に設けられたＥＰ１のデータペイロードサイズ等が決定される（ステップＳ２０００-３）。
【００７０】
同様にして、通信部１００についてもディスクリプタの授受が行われ、通信部１００のデバイスアドレス等が決定される。
ただし、ＰＣ１０側でＵＳＢインターフェイス１０１-３の設定を行う際（ステップＳ２０６〜Ｓ２０８）、ＵＳＢインターフェイス１０１-３に設けられたＥＰ２〜ＥＰ５の代替設定を０とし通信部１００を用いて実行する通信形態に合わせて代替設定の変更を行えるようにしておく。
【００７１】
このようにして、移動機１のテンキー操作部４、マウス操作部５及び通信部１００のセットアップが完了すると、ＰＣ１０は、テンキー操作部４、マウス操作部５及び通信部１００を別々のＵＳＢデバイスとして通信可能となる。
【００７２】
すなわち、テンキー操作部４において入力操作が行われた場合、テンキー入力データは、テンキー操作部４からＣＰＵ６０へと送られ、更にＣＰＵ６０からＵＳＢインターフェイス１０１-１、ポート１を介してＰＣ１０宛にインタラブト転送される。また、マウス操作部５において入力操作が行われた場合、マウス入力データは、マウス操作部５からＣＰＵ６０へと送られ、更にＣＰＵ６０からＵＳＢインターフェイス１０１-２、ポート２を介してＰＣ１０宛にインタラプト転送される。
一方、ＰＣ１０側では、インストールされたドライバソフトウェアに従って、ＰＣ１０の制御が実行されることとなる。
更に詳細に説明するならば、キー“４”に対応したテンキー入力データが移動機１から送られてきた場合、ＰＣ１０は、図示しないＰＣ１０のキーボード上でキー“４”の入力がなされた場合と同様にテンキー入力データを取り扱う。
【００７３】
また、通信部１００を用いてデータ通信を行う場合には、通信形態に従ってＵＳＢインターフェイス１０１-３のセットアップを行い、ＥＰ２〜ＥＰ５の代替設定の変更を行うこととなる。
ＥＰ２〜ＥＰ５の代替設定の変更は、インターフェイス設定要求（Ｓｅｔ  Ｉｎｔｅｒｆａｃｅコマンド）よって行われる。
より具体的にいうならば、ユーザがＰＣ１０を操作することによって、移動機１に対して通信要求を行うと、ＰＣ１０側から要求する通信形態に対応した代替設定へのインターフェイス設定要求が移動機１に対してなされる。移動機１側ではＣＰＵ６０が、このインターフェイス設定要求に従って各ＥＰの代替設定の切替を行うことによってＥＰ２〜ＥＰ５の代替設定が変更されることとなる。
【００７４】
ＥＰ２〜ＥＰ５の代替設定は、例えば、Q９２１/Q９３１の通信を行う場合、ＥＰ２〜ＥＰ５をバルク転送用とするために代替設定を０に設定し、Bチャネルの通信を行う場合、ＥＰ２〜ＥＰ５をＩＳＯ転送用として代替設定２を設定することとなる。
しかし、ＩＳＯ転送用として３２バイト以上のデータ転送能力が必要な場合、代替設定は３〜５となる。
【００７５】
このようにして、ＵＳＢインターフェイス１０１-３のセットアップが完了すると、発呼可能な状態となる。そして、ＰＣ１０側からの発呼要求が行われると図４と同様の呼接続が行われる。
データ通信の実行中における移動機１の動作は、テンキー操作部４、マウス操作部５及び通信部１００が全く別個のファンクションとしてＰＣ１０と通信することが可能となる。つまり、通信部１００によってネットワーク側から受信されたデータは、ポート３を介してＰＣ１０宛に送られ、ＰＣ１０からポート３を介して通信部１００宛に送られてきたデータは、データ変復調部２によってネットワーク側へと送信される。
これに対し、テンキー操作部４によって生成されたテンキー入力データは、ＵＳＢインターフェイス１０１-１、ポート１を介してＰＣ１０宛に送られる。
【００７６】
このようにして、本実施形態に係る移動機１は、テンキー操作部４、マウス操作部５、通信部１００の各々に対応したポートを設け、ＰＣ１０側に各部を別個のデバイスとして認識させることにより、テンキー操作部４及びマウス操作部５を用いて、ＰＣ１０の操作を行うことが可能となる。
【００７７】
なお、本実施形態において移動機１として、携帯電話を例示して説明を行ったが、移動機１は、ＰＨＳであっても構わない。
【００７８】
また、本実施形態においては、移動機１上にテンキー操作部４及びマウス操作部５のみを設けた構成としている。しかし、ＵＳＢ送受信部１０１に、更にＵＳＢインターフェイスを設け、利用できるデバイスを増やすことも可能である。
例えば、移動機１上にカメラを設け、このカメラに対応したポート及びＵＳＢインターフェイスを設けることにより、移動機１上に設けられたカメラで取り込んだ画像をデータ化し、該データをＰＣ１０宛に送ることも可能となる。
この場合、ＵＳＢインターフェイスには、ＥＰ０〜ＥＰ５を設け、非ＥＰ０（ＥＰ１〜ＥＰ５）においてバルク転送用のＥＰを設けることが必要となる。
【００７９】
【発明の効果】
以上説明したように、本発明によれば、移動機によるＰＣの操作／入力が可能となる。このため、マウスやテンキー等の補助用周辺デバイスを携帯する必要は無くなり、モバイル型電子機器の携帯性を維持しつつ、その操作性を補うことが可能となる。また、屋外における使用に対しても対応することが可能となる。
【図面の簡単な説明】
【図１】  第１実施形態に係る移動機１の構成を示すブロック図である。
【図２】  ＣＰＵ６において電話モードが設定されている場合に移動機１内におけるデータの流れを示した図である。
【図３】  デバイスモードが選択された後に、移動機１のＣＰＵ６とＰＣ１０の間において行われる処理を示すフローチャートである。
【図４】  データ通信を行う際に移動機１の通信制御部３とＰＣ１０との間のシーケンスを示す図である。
【図５】  データ通信の実行中において、移動機１内のデータの流れを示した図である。
【図６】  第２実施形態に係る移動機１の構成を示すブロック図である。
【図７】  第３実施形態に係る移動機１の構成を示すブロック図である。
【図８】  ＰＣ１０とＵＳＢ送受信部１０１の間にデフォルトパイプが形成された場合にＰＣ１０と移動機１のＣＰＵ６０との間で行われるセットアップの手順を示すシーケンスチャートである。
【図９】  従来のデータ通信環境を示す図である。
【符号の説明】
１……移動機      ２……データ変復調部      ３……通信制御部
４……テンキー操作部      ５……マウス操作部
６……ＣＰＵ      ７……データ多重／分離部
１０……ＰＣ      ２０……アダプタ      ２１……インターフェイス部
６０……ＣＰＵ      １００……通信部      １０１……ＵＳＢ送受信部
１０２……ＵＳＢハブ      １０３……ＵＳＢケーブル
【図１】
0003833443.tif 000002
【図２】
0003833443.tif 000003
【図３】
0003833443.tif 000004
【図４】
0003833443.tif 000005
【図５】
0003833443.tif 000006
【図６】
0003833443.tif 000007
【図７】
0003833443.tif 000008
【図８】
0003833443.tif 000009
【図９】
0003833443.tif 000010